(57)【要約】    【課題】  複数の表示装置を駆動するための表示装置用駆動回路及びこの回路を内蔵した撮影装置の小型化を図ること。    【解決手段】  本発明では、第１の表示装置で表示する映像信号を生成する第１の映像信号生成回路と、第２の表示装置で表示する映像信号を生成する第２の映像信号生成回路と、これら第１及び第２の表示装置と第１及び第２の映像信号生成回路を駆動するための駆動パルス信号を発生する駆動パルス信号発生回路とを有する表示装置用駆動回路において、前記第１又は第２の映像信号生成回路の少なくともいずれか一方に遅延回路を設けて、前記駆動パルス信号発生回路から前記第１及び第２の表示装置に供給する駆動パルス信号の一部を共通化できるように構成した。【選択図】      図１
2006039141.tif 000002
【特許請求の範囲】
【請求項１】
第１の表示装置で表示する映像信号を生成する第１の映像信号生成回路と、第２の表示装置で表示する映像信号を生成する第２の映像信号生成回路と、これら第１及び第２の表示装置と第１及び第２の映像信号生成回路を駆動するための駆動パルス信号を発生する駆動パルス信号発生回路とを有する表示装置用駆動回路において、
前記第１又は第２の映像信号生成回路の少なくともいずれか一方に遅延回路を設けて、前記駆動パルス信号発生回路から前記第１及び第２の表示装置に供給する駆動パルス信号の一部を共通化できるように構成したことを特徴とする表示装置用駆動回路。
【請求項２】
前記遅延回路として記憶回路を用いたことを特徴とする請求項１に記載の表示装置用駆動回路。
【請求項３】
前記第１及び第２の映像信号生成回路に前記遅延回路として第１及び第２の記憶回路を設けるとともに、これらの第１及び第２の記憶回路から１ライン分のデータを同時に読出して、前記第１及び第２の表示装置に１ライン分のデータを同時に表示するように構成したことを特徴とする請求項１に記載の表示装置用駆動回路。
【請求項４】
前記第１及び第２の映像信号生成回路に前記遅延回路として第１及び第２の記憶回路を設けるとともに、これらの第１及び第２の記憶回路から１ライン分のデータを交互に読出し、この１ライン分のデータを共通の信号処理回路で処理して、前記第１及び第２の表示装置に１ライン分のデータを交互に表示するように構成したことを特徴とする請求項１に記載の表示装置用駆動回路。
【請求項５】
撮影した映像を表示する第１及び第２の表示装置と、前記第１の表示装置で表示する映像信号を生成する第１の映像信号生成回路と、前記第２の表示装置で表示する映像信号を生成する第２の映像信号生成回路と、これら第１及び第２の表示装置と第１及び第２の映像信号生成回路を駆動するための駆動パルス信号を発生する駆動パルス信号発生回路とを有する撮影装置において、
前記第１又は第２の映像信号生成回路の少なくともいずれか一方に遅延回路を設けて、前記駆動パルス信号発生回路から前記第１及び第２の表示装置に供給する駆動パルス信号の一部を共通化できるように構成したことを特徴とする撮影装置。
【請求項６】
前記遅延回路として記憶回路を用いたことを特徴とする請求項５に記載の撮影装置。
【請求項７】
前記第１及び第２の映像信号生成回路に前記遅延回路として第１及び第２の記憶回路を設けるとともに、これらの第１及び第２の記憶回路から１ライン分のデータを同時に読出して、前記第１及び第２の表示装置に１ライン分のデータを同時に表示するように構成したことを特徴とする請求項５に記載の撮影装置。
【請求項８】
前記第１及び第２の映像信号生成回路に前記遅延回路として第１及び第２の記憶回路を設けるとともに、これらの第１及び第２の記憶回路から１ライン分のデータを交互に読出し、この１ライン分のデータを共通の信号処理回路で処理して、前記第１及び第２の表示装置に１ライン分のデータを交互に表示するように構成したことを特徴とする請求項５に記載の撮影装置。
【発明の詳細な説明】
【技術分野】
【０００１】
本発明は、表示装置用駆動回路及びこの表示装置用駆動回路を用いた撮影装置に関するものである。
【背景技術】
【０００２】
従来よりスチルビデオカメラやハンディーカムレコーダーなどの撮影装置には、撮影画像の確認のために対角数センチメートル程度の液晶表示装置（第１の表示装置）と対角１センチメートル以下程度の液晶表示装置（第２の表示装置）とが装備されていた。
【０００３】
この撮影装置には、２個の液晶表示装置を駆動するために表示装置用駆動回路が内蔵されており、この表示装置用駆動回路101は、図10に示すように、第１の表示装置102で表示する映像信号を生成する第１の映像信号生成回路103と、第２の表示装置104で表示する映像信号を生成する第２の映像信号生成回路105と、これら第１及び第２の表示装置102,104と第１及び第２の映像信号生成回路103,105を駆動するための駆動パルス信号106,107,108,109を発生する駆動パルス信号発生回路110とで構成していた。
【０００４】
そして、従来の表示装置用駆動回路101では、駆動パルス信号発生回路110で第１及び第２の表示装置102,104の解像度や走査方向に応じた駆動パルス信号106,107,108,109をそれぞれ発生し、その駆動パルス信号106,107,108,109を第１及び第２の表示装置102,104と第１及び第２の映像信号生成回路103,105とにそれぞれ供給していた。
【特許文献１】特開平１１−２６１９３０号公報
【発明の開示】
【発明が解決しようとする課題】
【０００５】
ところが、上記従来の撮影装置に内蔵した表示装置用駆動回路101では、第１の表示装置102と第２の表示装置104の解像度や走査方向が異なる場合に、それに応じた駆動パルス信号106〜109を駆動パルス信号発生回路110で発生し、その駆動パルス信号106〜109を第１及び第２の表示装置102,104と第１及び第２の映像信号生成回路103,105とにそれぞれ供給していたために、駆動パルス信号発生回路110から第１及び第２の表示装置102,104と第１及び第２の映像信号生成回路103,105へ駆動パルス信号106〜109を供給するための配線数が膨大なものとなり、表示装置用駆動回路101を形成したプリント配線基板の面積が増大してしまい、撮影装置を小型化することが困難となっていた。
【課題を解決するための手段】
【０００６】
そこで、請求項１に係る本発明では、第１の表示装置で表示する映像信号を生成する第１の映像信号生成回路と、第２の表示装置で表示する映像信号を生成する第２の映像信号生成回路と、これら第１及び第２の表示装置と第１及び第２の映像信号生成回路を駆動するための駆動パルスを発生する駆動パルス信号発生回路とを有する表示装置用駆動回路において、前記第１又は第２の映像信号生成回路の少なくともいずれか一方に遅延回路を設けて、前記駆動パルス信号発生回路から前記第１及び第２の表示装置に供給する駆動パルス信号の一部を共通化できるように構成することにした。
【０００７】
また、請求項２に係る本発明では、前記請求項１に係る本発明において、前記遅延回路として記憶回路を用いることにした。
【０００８】
また、請求項３に係る本発明では、前記請求項１に係る本発明において、前記第１及び第２の映像信号生成回路に前記遅延回路として第１及び第２の記憶回路を設けるとともに、これらの第１及び第２の記憶回路から１ライン分のデータを同時に読出して、前記第１及び第２の表示装置に１ライン分のデータを同時に表示するように構成することにした。
【０００９】
また、請求項４に係る本発明では、前記請求項１に係る本発明において、前記第１及び第２の映像信号生成回路に前記遅延回路として第１及び第２の記憶回路を設けるとともに、これらの第１及び第２の記憶回路から１ライン分のデータを交互に読出し、この１ライン分のデータを共通の信号処理回路で処理して、前記第１及び第２の表示装置に１ライン分のデータを交互に表示するように構成することにした。
【００１０】
また、請求項５に係る本発明では、撮影した映像を表示する第１及び第２の表示装置と、前記第１の表示装置で表示する映像信号を生成する第１の映像信号生成回路と、前記第２の表示装置で表示する映像信号を生成する第２の映像信号生成回路と、これら第１及び第２の表示装置と第１及び第２の映像信号生成回路を駆動するための駆動パルス信号を発生する駆動パルス信号発生回路とを有する撮影装置において、前記第１又は第２の映像信号生成回路の少なくともいずれか一方に遅延回路を設けて、前記駆動パルス信号発生回路から前記第１及び第２の表示装置に供給する駆動パルス信号の一部を共通化できるように構成することにした。
【００１１】
また、請求項６に係る本発明では、前記請求項５に係る本発明において、前記遅延回路として記憶回路を用いることにした。
【００１２】
また、請求項７に係る本発明では、前記請求項５に係る本発明において、前記第１及び第２の映像信号生成回路に前記遅延回路として第１及び第２の記憶回路を設けるとともに、これらの第１及び第２の記憶回路から１ライン分のデータを同時に読出して、前記第１及び第２の表示装置に１ライン分のデータを同時に表示するように構成することにした。
【００１３】
また、請求項８に係る本発明では、前記請求項５に係る本発明において、前記第１及び第２の映像信号生成回路に前記遅延回路として第１及び第２の記憶回路を設けるとともに、これらの第１及び第２の記憶回路から１ライン分のデータを交互に読出し、この１ライン分のデータを共通の信号処理回路で処理して、前記第１及び第２の表示装置に１ライン分のデータを交互に表示するように構成することにした。
【発明の効果】
【００１４】
そして、本発明では、以下に記載する効果を奏する。
【００１５】
すなわち、請求項１に係る本発明では、第１の表示装置で表示する映像信号を生成する第１の映像信号生成回路と、第２の表示装置で表示する映像信号を生成する第２の映像信号生成回路と、これら第１及び第２の表示装置と第１及び第２の映像信号生成回路を駆動するための駆動パルスを発生する駆動パルス信号発生回路とを有する表示装置用駆動回路において、第１又は第２の映像信号生成回路の少なくともいずれか一方に遅延回路を設けて、駆動パルス信号発生回路から第１及び第２の表示装置に供給する駆動パルス信号の一部を共通化できるように構成しているために、駆動パルス信号発生回路から第１及び第２の表示装置へ駆動パルス信号を供給するための配線数を削減することができ、表示装置用駆動回路を形成したプリント配線基板の面積を縮小することができるので、この表示装置用駆動回路を内蔵した撮影装置の小型化を図ることができる。
【００１６】
また、請求項２に係る本発明では、遅延回路として記憶回路を用いることにしているために、記憶回路から映像信号を読出すタイミングを適宜設定することによってあらゆる仕様の第１及び第２の表示装置を良好に駆動することができる。
【００１７】
また、請求項３に係る本発明では、第１及び第２の映像信号生成回路に前記遅延回路として第１及び第２の記憶回路を設けるとともに、これらの第１及び第２の記憶回路から１ライン分のデータを同時に読出して、第１及び第２の表示装置に１ライン分のデータを同時に表示するように構成することにしているために、第１又は第２の表示装置を駆動する駆動パルス信号（水平同期信号）のうちで周期の早いほうの駆動パルス信号を共通に用いて第１及び第２の表示装置を良好に駆動することができる。
【００１８】
また、請求項４に係る本発明では、第１及び第２の映像信号生成回路に前記遅延回路として第１及び第２の記憶回路を設けるとともに、これらの第１及び第２の記憶回路から１ライン分のデータを交互に読出し、この１ライン分のデータを共通の信号処理回路で処理して、第１及び第２の表示装置に１ライン分のデータを交互に表示するように構成することにしているために、第１及び第２の映像信号生成回路の信号処理回路も共通化することができ、表示装置用駆動回路の回路規模を小さくすることができ、表示装置用駆動回路を形成したプリント配線基板の面積をより一層縮小することができるので、この表示装置用駆動回路を内蔵した撮影装置の小型化を図ることができる。
【００１９】
また、請求項５に係る本発明では、撮影した映像を表示する第１及び第２の表示装置と、第１の表示装置で表示する映像信号を生成する第１の映像信号生成回路と、第２の表示装置で表示する映像信号を生成する第２の映像信号生成回路と、これら第１及び第２の表示装置と第１及び第２の映像信号生成回路を駆動するための駆動パルス信号を発生する駆動パルス信号発生回路とを有する撮影装置において、第１又は第２の映像信号生成回路の少なくともいずれか一方に遅延回路を設けて、駆動パルス信号発生回路から第１及び第２の表示装置に供給する駆動パルス信号の一部を共通化できるように構成しているために、駆動パルス信号発生回路から第１及び第２の表示装置へ駆動パルス信号を供給するための配線数を削減することができ、表示装置用駆動回路を形成したプリント配線基板の面積を縮小することができるので、撮影装置の小型化を図ることができる。
【００２０】
また、請求項６に係る本発明では、遅延回路として記憶回路を用いることにしているために、記憶回路から映像信号を読出すタイミングを適宜設定することによってあらゆる仕様の第１及び第２の表示装置を良好に駆動することができる。
【００２１】
また、請求項７に係る本発明では、第１及び第２の映像信号生成回路に前記遅延回路として第１及び第２の記憶回路を設けるとともに、これらの第１及び第２の記憶回路から１ライン分のデータを同時に読出して、第１及び第２の表示装置に１ライン分のデータを同時に表示するように構成することにしているために、第１又は第２の表示装置を駆動する駆動パルス信号（水平同期信号）のうちで周期の早いほうの駆動パルス信号を共通に用いて第１及び第２の表示装置を良好に駆動することができる。
【００２２】
また、請求項８に係る本発明では、第１及び第２の映像信号生成回路に前記遅延回路として第１及び第２の記憶回路を設けるとともに、これらの第１及び第２の記憶回路から１ライン分のデータを交互に読出し、この１ライン分のデータを共通の信号処理回路で処理して、第１及び第２の表示装置に１ライン分のデータを交互に表示するように構成することにしているために、第１及び第２の映像信号生成回路の信号処理回路も共通化することができ、表示装置用駆動回路の回路規模を小さくすることができ、表示装置用駆動回路を形成したプリント配線基板の面積をより一層縮小することができるので、撮影装置の小型化を図ることができる。
【発明を実施するための最良の形態】
【００２３】
本発明に係る撮影装置は、撮影する映像或いは既に撮影した映像を確認するために第１及び第２の表示装置を装備しており、第１の表示装置で表示する映像信号を生成する第１の映像信号生成回路と、第２の表示装置で表示する映像信号を生成する第２の映像信号生成回路と、これら第１及び第２の表示装置と第１及び第２の映像信号生成回路を駆動するための駆動パルス信号を発生する駆動パルス信号発生回路とを有する表示装置用駆動回路を内蔵したものである。
【００２４】
この表示装置用駆動回路は、第１又は第２の映像信号生成回路の少なくともいずれか一方に遅延回路を設け、この遅延回路で信号を遅延させる時間を調整することによって、駆動パルス信号発生回路から第１及び第２の表示装置に供給する駆動パルス信号の一部を共通化できるように構成している。
【００２５】
すなわち、従来の撮影装置に内蔵した表示装置用駆動回路では、第１の映像信号生成回路と第２の映像信号生成回路とでそれぞれ異なるタイミングで第１の表示装置と第２の表示装置に映像信号を提供し、駆動パルス信号発生回路から提供する駆動パルス信号をそれぞれ異ならせることによって第１及び第２の表示装置の駆動のタイミングの方を変化させて、第１及び第２の表示装置で映像信号を良好に表示できるように駆動していたのに対して、本発明に係る撮影装置に内蔵した表示装置用駆動回路では、遅延回路による遅延時間によって第１の映像信号生成回路と第２の映像信号生成回路から第１の表示装置と第２の表示装置に提供する映像信号のタイミングの方を変化させることで、駆動パルス信号発生回路から共通の駆動パルス信号を提供し、第１及び第２の表示装置で映像信号を良好に表示できるように駆動するようにしている。
【００２６】
そのため、本発明に係る撮影装置では、駆動パルス信号発生回路から第１及び第２の表示装置に共通の駆動パルス信号を供給すればよく、駆動パルス信号発生回路から第１及び第２の表示装置へ駆動パルス信号を供給するための配線数を削減することができる。これにより、表示装置用駆動回路から第１及び第２の表示装置に出力する端子数を削減できるので、駆動パルス信号発生回路を設けた半導体装置の小型化を図ることができ、ひいては撮影装置の小型化を図ることができる。
【００２７】
この表示装置用駆動回路で用いる遅延回路としては、一般的に使用される遅延回路のほかに記憶回路を用いることもでき、この場合には、記憶回路で映像信号を一旦記憶しておき、この記憶回路から映像信号を読出すタイミングを適宜設定することによって、あらゆる仕様（解像度や走査方向など）の第１及び第２の表示装置を良好に駆動することができる。
【００２８】
しかも、第１及び第２の映像信号生成回路で用いる遅延回路として第１及び第２の記憶回路を設けた場合には、これらの第１及び第２の記憶回路から１ライン分のデータを同時に読出し、第１及び第２の表示装置に１ライン分のデータを同時に表示することによって、第１又は第２の表示装置を駆動する水平同期信号のうちで周期の短いほうの水平同期信号を共通に用いて第１及び第２の表示装置を良好に駆動することができる。
【００２９】
また、第１及び第２の映像信号生成回路で用いる遅延回路として第１及び第２の記憶回路を設けた場合には、これらの第１及び第２の記憶回路から１ライン分のデータを交互に読出し、この１ライン分のデータを共通の信号処理回路で処理して、第１及び第２の表示装置に１ライン分のデータを交互に表示することによって、第１及び第２の映像信号生成回路の信号処理回路も共通化することができ、表示装置用駆動回路の回路規模を小さくすることができ、表示装置用駆動回路を形成したプリント配線基板の面積をより一層縮小することができるので、撮影装置の小型化を図ることができる。
【００３０】
以下に、本発明に係る表示装置用駆動回路を内蔵した撮影装置の具体的な構成（第１の撮影装置Ａ〜第５の撮影装置Ｅ）について図面を参酌しながら説明する。
【００３１】
［第１の撮影装置Ａ］
図１は、第１の撮影装置Ａの構成を示した図であり、第１の撮影装置Ａは、スキャン方向が異なる第１の表示装置１と第２の表示装置２とを装備しており、これらの第１及び第２の表示装置1,2を駆動するための表示装置用駆動回路３を内蔵している。
【００３２】
この表示装置用駆動回路３は、第１の表示装置１で表示する映像信号を生成する第１の映像信号生成回路４と、第２の表示装置２で表示する映像信号を生成する第２の映像信号生成回路５と、これら第１及び第２の表示装置1,2と第１及び第２の映像信号生成回路4,5を駆動するための駆動パルス信号（水平同期信号、垂直同期信号、走査方向制御信号など）を発生する駆動パルス信号発生回路６とで構成している。
【００３３】
第１の映像信号生成回路４は、撮像素子又は記録媒体から入力された撮影信号S1をスキャンコンバータ７を用いて所定の走査方向（右スキャン又は左スキャン）の走査信号S2に変換し、この走査信号S2から遅延回路８を用いて所定時間遅らせた遅延走査信号S3を生成し、この遅延走査信号S3に対して信号処理回路９を用いて信号処理を施すことによって所定形式（RGB形式や輝度・色差形式など）のデジタル映像信号S4を生成し、このデジタル映像信号S4をＤ／Ａコンバータ10,11,12でアナログ化してバッファ13,14,15を介して第１の表示装置１へ映像信号S5を出力するように構成している。
【００３４】
この第１の映像信号生成回路４は、駆動パルス信号発生回路６で生成された各種制御用の駆動パルス信号S6,S7,S8によって駆動される。
【００３５】
また、第２の映像信号生成回路５は、第１の映像信号生成回路４と同様の構成となっており、撮像素子又は記録媒体から入力された撮影信号S1をスキャンコンバータ16を用いて所定の走査方向（右スキャン又は左スキャン）の走査信号S9に変換し、この走査信号S9から遅延回路17を用いて所定時間遅らせた遅延走査信号S10を生成し、この遅延走査信号S10に対して信号処理回路18を用いて信号処理を施すことによって所定形式（RGB形式や輝度・色差形式など）のデジタル映像信号S11を生成し、このデジタル映像信号S11をＤ／Ａコンバータ19,20,21でアナログ化してバッファ22,23,24を介して第２の表示装置２へ映像信号S12を出力するように構成している。
【００３６】
この第２の映像信号生成回路５は、駆動パルス信号発生回路６で生成された各種制御用の駆動パルス信号S13,S14,S8によって駆動される。
【００３７】
また、駆動パルス信号発生回路６は、第１及び第２の映像信号生成回路4,5を駆動するための駆動パルス信号S6,S7,S8,S13,S14のほかに、第１及び第２の表示装置1,2を駆動するための駆動パルス信号S15〜S19（水平同期信号、垂直同期信号、走査方向制御信号など）を生成している。
【００３８】
そして、上記構成の表示装置用駆動回路３では、駆動パルス信号発生回路６から第１及び第２の表示装置1,2に供給する駆動パルス信号S15〜S19のうちの一部の駆動パルス信号S15（水平同期信号など）を同一信号にしても第１及び第２の表示装置1,2が良好に駆動できるように、第１及び第２の映像信号生成回路4,5に設けた遅延回路8,17で走査信号S2,S9を遅延させる時間をそれぞれ調整している。
【００３９】
このように、上記構成の表示装置用駆動回路３では、第１又は第２の映像信号生成回路4,5に遅延回路8,17を設け、この遅延回路8,17で信号を遅延させる時間を調整することによって、駆動パルス信号発生回路６から第１及び第２の表示装置1,2に供給する駆動パルス信号S15〜S19のうちの一部の駆動パルス信号S15（水平同期信号など）を共通化するようにしている。
【００４０】
これにより、第１の撮影装置Ａでは、駆動パルス信号発生回路６から第１及び第２の表示装置1,2に共通の駆動パルス信号S15を供給すればよく、駆動パルス信号発生回路６と第１及び第２の表示装置1,2との間の配線数を削減することができ、表示装置用駆動回路３を形成したプリント配線基板の面積を縮小することができて、第１の撮影装置Ａの小型化を図ることができる。
【００４１】
［第２の撮影装置Ｂ］
図２は、第２の撮影装置Ｂの構成を示した図であり、第２の撮影装置Ｂは、画素数が異なる第１の表示装置31と第２の表示装置32とを装備しており、これらの第１及び第２の表示装置31,32を駆動するための表示装置用駆動回路33を内蔵している。
【００４２】
この表示装置用駆動回路33は、第１の表示装置31で表示する映像信号を生成する第１の映像信号生成回路34と、第２の表示装置32で表示する映像信号を生成する第２の映像信号生成回路35と、これら第１及び第２の表示装置31,32と第１及び第２の映像信号生成回路34,35を駆動するための駆動パルス信号（水平同期信号、垂直同期信号、走査方向制御信号など）を発生する駆動パルス信号発生回路36とで構成している。
【００４３】
第１の映像信号生成回路34は、撮像素子又は記録媒体から入力された撮影信号S31をスキャンコンバータ37を用いて所定の走査方向（右スキャン又は左スキャン）の走査信号S32に変換し、この走査信号S32から記憶回路38を用いて所定時間遅らせた遅延走査信号S33を生成し、この遅延走査信号S33に対して信号処理回路39を用いて信号処理を施すことによって所定形式（RGB形式や輝度・色差形式など）のデジタル映像信号S34を生成し、このデジタル映像信号S34をＤ／Ａコンバータ40,41,42でアナログ化してバッファ43,44,45を介して第１の表示装置31へ映像信号S35を出力するように構成している。
【００４４】
この第１の映像信号生成回路34は、駆動パルス信号発生回路36で生成された各種制御用の駆動パルス信号S36,S37,S38によって駆動される。
【００４５】
また、第２の映像信号生成回路35は、第１の映像信号生成回路34と同様の構成となっており、撮像素子又は記録媒体から入力された撮影信号S31をスキャンコンバータ46を用いて所定の走査方向（右スキャン又は左スキャン）の走査信号S39に変換し、この走査信号S39から記憶回路47を用いて所定時間遅らせた遅延走査信号S40を生成し、この遅延走査信号S40に対して信号処理回路48を用いて信号処理を施すことによって所定形式（RGB形式や輝度・色差形式など）のデジタル映像信号S41を生成し、このデジタル映像信号S41をＤ／Ａコンバータ49,50,51でアナログ化してバッファ52,53,54を介して第２の表示装置32へ映像信号S42を出力するように構成している。
【００４６】
この第２の映像信号生成回路35は、駆動パルス信号発生回路36で生成された各種制御用の駆動パルス信号S43,S44,S38によって駆動される。
【００４７】
また、駆動パルス信号発生回路36は、第１及び第２の映像信号生成回路34,35を駆動するための駆動パルス信号S36,S37,S38,S43,S44のほかに、第１及び第２の表示装置31,32を駆動するための駆動パルス信号S45〜S49（水平同期信号、垂直同期信号、走査方向制御信号など）を生成している。
【００４８】
そして、上記構成の表示装置用駆動回路33では、図３に示すように、駆動パルス信号発生回路36から第１及び第２の表示装置31,32に供給する駆動パルス信号S45〜S49のうちの一部の駆動パルス信号S45（水平同期信号など）を同一信号にしても第１及び第２の表示装置31,32が良好に駆動できるように、第１及び第２の映像信号生成回路34,35に設けた記憶回路38,47から遅延走査信号S33,S40を読出す時間をそれぞれ調整している。
【００４９】
このように、上記構成の表示装置用駆動回路33では、第１又は第２の映像信号生成回路34,35に記憶回路38,47を設け、この記憶回路38,47から信号を読出すタイミングを調整することによって、駆動パルス信号発生回路36から第１及び第２の表示装置31,32に供給する駆動パルス信号S45〜S49のうちの一部の駆動パルス信号S45（水平同期信号など）を共通化するようにしている。
【００５０】
これにより、第２の撮影装置Ｂでは、駆動パルス信号発生回路36から第１及び第２の表示装置31,32に共通の駆動パルス信号S45を供給すればよく、駆動パルス信号発生回路36と第１及び第２の表示装置31,32との間の配線数を削減することができ、表示装置用駆動回路33を形成したプリント配線基板の面積を縮小することができて、第２の撮影装置Ｂの小型化を図ることができる。
【００５１】
しかも、上記構成の表示装置用駆動回路33では、図３に示すように、第１及び第２の記憶回路38,47から１ライン分のデータを同時に読出して、第１及び第２の表示装置31,32に１ライン分のデータを同時に提供するようにしている。
【００５２】
そのため、第２の撮影装置Ｂでは、図３に示すように、第１又は第２の表示装置を駆動する水平同期信号のうちで周期の早いほうの水平同期信号を共通に用いて第１及び第２の表示装置31,32を良好に駆動することができる。
【００５３】
［第３の撮影装置Ｃ］
図４は、第３の撮影装置Ｃの構成を示した図であり、第３の撮影装置Ｃは、ほぼ第２の撮影装置Ｂと同様の構成となっているため、同一の機能を有するものには図２と同一の符号を付して説明を省略する。
【００５４】
この第３の撮影装置Ｃが第２の撮影装置Ｂと異なっているのは、記憶回路38,47から信号を読出すタイミングである。
【００５５】
すなわち、第３の撮影装置Ｃでは、第２の撮影装置Ｂと同様に、第１及び第２の映像信号生成回路34,35で用いる遅延回路として第１及び第２の記憶回路38,47を設けているが、第２の撮影装置Ｂとは異なって、図５に示すように、これらの第１及び第２の記憶回路38,47から１ライン分のデータを交互に読出し、この１ライン分のデータを信号処理回路39,48で交互に処理して、第１及び第２の表示装置31,32に１ライン分のデータを交互に表示するようにしている。
【００５６】
そのため、第３の撮影装置Ｃでは、駆動パルス信号発生回路36から第１及び第２の表示装置31,32にそれぞれ異なる駆動パルス信号S50,S51を供給するようにしている。
【００５７】
このように、第３の撮影装置Ｃでは、信号処理回路39,48を交互に作動させているために、両方の信号処理回路39,48が同時に作動する場合に比べて最大消費電力を低減することができる。
【００５８】
また、このように信号処理回路39,48を交互に作動させる場合には、別個の信号処理回路39,48を設けずに１個の共通の回路を設ける構成としてもよい。その場合の実施形態について以下に説明する。
【００５９】
［第４の撮影装置Ｄ］
図６は、第４の撮影装置Ｄの構成を示した図であり、第４の撮影装置Ｄは、ほぼ第３の撮影装置Ｃと同様の構成となっているため、同一の機能を有するものには図４と同一の符号を付して説明を省略する。
【００６０】
この第４の撮影装置Ｄが第３の撮影装置Ｃと異なっているのは、記憶回路38,47から読出した遅延走査信号S33,S40を共通の信号処理回路39とＤ／Ａコンバータ40,41,42とバッファ43,44,45とで処理し、共通の映像信号S35を第１及び第２の表示装置31,32に供給している構成である。
【００６１】
すなわち、第４の撮影装置Ｄの第１の映像信号生成回路34は、第３の撮影装置Ｃと同様に、撮像素子又は記録媒体から入力された撮影信号S31をスキャンコンバータ37を用いて所定の走査方向（右スキャン又は左スキャン）の走査信号S32に変換し、この走査信号S32から記憶回路38を用いて所定時間遅らせた遅延走査信号S33を生成し、この遅延走査信号S33に対して信号処理回路39を用いて信号処理を施すことによって所定形式（RGB形式や輝度・色差形式など）のデジタル映像信号S34を生成し、このデジタル映像信号S34をＤ／Ａコンバータ40,41,42でアナログ化してバッファ43,44,45を介して第１の表示装置31へ映像信号S35を出力するように構成し、駆動パルス信号発生回路36で生成された各種制御用の駆動パルス信号S36,S37,S38によって駆動される。
【００６２】
一方、第４の撮影装置Ｄの第２の映像信号生成回路35は、第３の撮影装置Ｃとは異なり、撮像素子又は記録媒体から入力された撮影信号S31をスキャンコンバータ46を用いて所定の走査方向（右スキャン又は左スキャン）の走査信号S39に変換し、この走査信号S39を第１の映像信号生成回路34の信号処理回路39へ出力するように構成している。
【００６３】
この第２の映像信号生成回路35は、駆動パルス信号発生回路36で生成された各種制御用の駆動パルス信号S43によって駆動される。
【００６４】
そして、第４の撮影装置Ｄでは、図７に示すように、第３の撮影装置Ｃと同様に、第１及び第２の映像信号生成回路34,35で用いる遅延回路として第１及び第２の記憶回路38,47を設け、これらの第１及び第２の記憶回路38,47から１ライン分のデータを交互に読出しているが、第３の撮影装置Ｃとは異なって、第１及び第２の記憶回路38,47から読出した１ライン分のデータを第１の映像信号生成回路34に設けた共通の信号処理回路39で交互に処理して、第１及び第２の表示装置31,32に１ライン分のデータを交互に表示するようにしている。
【００６５】
そのため、第４の撮影装置Ｄでは、駆動パルス信号発生回路36から第１及び第２の表示装置31,32にそれぞれ異なる駆動パルス信号S50,S51を供給するようにしている。
【００６６】
このように、第１及び第２の記憶回路38,47から１ライン分のデータを交互に読出し、この１ライン分のデータを共通の信号処理回路39で処理して、第１及び第２の表示装置31,32に１ライン分のデータを交互に表示することによって、第１及び第２の映像信号生成回路34,35の信号処理回路39も共通化することができ、表示装置用駆動回路33の回路規模を小さくすることができ、表示装置用駆動回路33を形成したプリント配線基板の面積をより一層縮小することができるので、第４の撮影装置Ｄの小型化を図ることができる。
【００６７】
［第５の撮影装置Ｅ］
図８は、第５の撮影装置Ｅの構成を示した図であり、第５の撮影装置Ｅは、ほぼ第２の撮影装置Ｂと同様の構成となっているため、同一の機能を有するものには図２と同一の符号を付して説明を省略する。
【００６８】
第５の撮影装置Ｅが第２の撮影装置Ｂと異なっているのは、第１及び第２の映像信号生成回路34,35で記憶回路38,47と信号処理回路39,48の順番が逆になっている部分である（図８及び図９参照）。
【００６９】
すなわち、第５の撮影装置Ｅの第１の映像信号生成回路34は、撮像素子又は記録媒体から入力された撮影信号S31をスキャンコンバータ37を用いて所定の走査方向（右スキャン又は左スキャン）の走査信号S32に変換し、この走査信号S32に対して信号処理回路39を用いて信号処理を施すことによって所定形式（RGB形式や輝度・色差形式など）のデジタル映像信号S34を生成し、このデジタル映像信号S34から記憶回路38を用いて所定時間遅らせた遅延走査信号S33を生成し、この遅延走査信号S33をＤ／Ａコンバータ40,41,42でアナログ化してバッファ43,44,45を介して第１の表示装置31へ映像信号S35を出力するように構成している。
【００７０】
また、第５の撮影装置Ｅの第２の映像信号生成回路35は、撮像素子又は記録媒体から入力された撮影信号S31をスキャンコンバータ46を用いて所定の走査方向（右スキャン又は左スキャン）の走査信号S39に変換し、この走査信号S39に対して信号処理回路48を用いて信号処理を施すことによって所定形式（RGB形式や輝度・色差形式など）のデジタル映像信号S41を生成し、このデジタル映像信号S34から記憶回路47を用いて所定時間遅らせた遅延走査信号S40を生成し、この遅延走査信号S40をＤ／Ａコンバータ49,50,51でアナログ化してバッファ52,53,54を介して第２の表示装置32へ映像信号S42を出力するように構成している。
【００７１】
このように、信号を遅延させる目的の記憶回路38,47は、第１及び第２の映像信号生成回路34,35のどの部分に用いてもよい。
【図面の簡単な説明】
【００７２】
【図１】第１の撮影装置を示すブロック図。
【図２】第２の撮影装置を示すブロック図。
【図３】同動作説明図。
【図４】第３の撮影装置を示すブロック図。
【図５】同動作説明図。
【図６】第４の撮影装置を示すブロック図。
【図７】同動作説明図。
【図８】第５の撮影装置を示すブロック図。
【図９】同動作説明図。
【図１０】従来の撮影装置を示すブロック図。
【符号の説明】
【００７３】
1,31  第１の表示装置
2,32  第２の表示装置
3,33  表示装置用駆動回路
4,34  第１の映像信号生成回路
5,35  第２の映像信号生成回路
6.36  駆動パルス信号発生回路
7,16,37,46  スキャンコンバータ
8,17  遅延回路
9,18,39,48  信号処理回路
10〜12,19〜21,40〜42,49〜52  Ｄ／Ａコンバータ
13〜15,22〜24,43〜45,53〜55  バッファ
38,47  記憶回路
S1,S31  撮影信号
S2,S9,S32,S39  走査信号
S3,S10,S33,S40  遅延走査信号
S4,S11,S34,S41  デジタル映像信号
S5,S12,S35,S42  映像信号
S6〜S8,S13〜S18,S36〜S38,S43〜S51  駆動パルス信号
【図１】
2006039141.tif 000003
【図２】
2006039141.tif 000004
【図３】
2006039141.tif 000005
【図４】
2006039141.tif 000006
【図５】
2006039141.tif 000007
【図６】
2006039141.tif 000008
【図７】
2006039141.tif 000009
【図８】
2006039141.tif 000010
【図９】
2006039141.tif 000011
【図１０】
2006039141.tif 000012